(57)【要約】【課題】最近表示したホームページの中から再表示させるホームページを容易に選択可能とする。【解決手段】最近表示したホームページの中から再表示させるホームページを選択可能であるデータ処理装置において、インターネットを介して受信しインターネットブラウザに表示した各ホームページの画像データと非画像データとを対応させて記憶装置に記憶する手段と、最近表示したホームページの前記非画像データに基づく一覧メニューを出力する手段と、前記一覧メニューの特定の非画像データの選択に応じて、該特定の非画像データに対応する前記画像データを取得し、該画像データに基づくホームページのプレビュー画像を出力する手段と、前記プレビュー画像の選択に応じて、該プレビュー画像に対応するホームページを前記インターネットブラウザに再表示させる手段と、を備える。【選択図】図４
2012059061.tif 000002
【特許請求の範囲】
【請求項１】
最近表示したホームページの中から再表示させるホームページを選択可能であるデータ処理装置において、
インターネットを介して受信しインターネットブラウザに表示した各ホームページの画像データと非画像データとを対応させて記憶装置に記憶する手段と、
最近表示したホームページの前記非画像データに基づく一覧メニューを出力する手段と、
前記一覧メニューの特定の非画像データの選択に応じて、該特定の非画像データに対応する前記画像データを取得し、該画像データに基づくホームページのプレビュー画像を出力する手段と、
前記プレビュー画像の選択に応じて、該プレビュー画像に対応するホームページを前記インターネットブラウザに再表示させる手段と、を備えたことを特徴とする
データ処理装置。
【請求項２】
前記プレビュー画像が表示された際に、該プレビュー画像をスクロールするためのスクロールボタンを前記インターネットブラウザに表示させる手段と、
前記スクロールボタンの押下に応じて、前記プレビュー画面をスクロールさせる手段と、をさらに備えたことを特徴とする請求項１に記載のデータ処理装置。
【請求項３】
前記再表示ボタンの押下に応じて、最近表示したホームページの少なくとも前記画像データを、前記記憶装置よりもデータ転送速度の速い別の記憶装置に読み込む手段をさらに備え、かつ、
前記一覧メニューの特定の非画像データの選択に応じて、該特定の非画像データに対応する前記画像データを、前記別の記憶装置から取得することを特徴とする請求項１又は２に記載のデータ処理装置。
【請求項４】
最近表示したホームページの中から再表示させるホームページを選択可能であるデータ処理装置によるデータ処理方法において、
インターネットを介して受信しインターネットブラウザに表示した各ホームページの画像データと非画像データとを対応させて記憶装置に記憶するステップと、
最近表示したホームページの前記非画像データに基づく一覧メニューを出力するステップと、
前記一覧メニューの特定の非画像データの選択に応じて、該特定の非画像データに対応する前記画像データを取得し、該画像データに基づくホームページのプレビュー画像を出力するステップと、
前記プレビュー画像の選択に応じて、該プレビュー画像に対応するホームページを前記インターネットブラウザに再表示させるステップと、を備えたことを特徴とする
データ処理方法。
【請求項５】
最近表示したホームページの中から再表示させるホームページを選択可能であるデータ処理装置に対し、
インターネットを介して受信しインターネットブラウザに表示した各ホームページの画像データと非画像データとを対応させて記憶装置に記憶する機能と、
最近表示したホームページの前記非画像データに基づく一覧メニューを出力する機能と、
前記一覧メニューの特定の非画像データの選択に応じて、該特定の非画像データに対応する前記画像データを取得し、該画像データに基づくホームページのプレビュー画像を出力する機能と、
前記プレビュー画像の選択に応じて、該プレビュー画像に対応するホームページを前記インターネットブラウザに再表示させる機能と、を実現させるための
プログラム。
【発明の詳細な説明】
【技術分野】
【０００１】
本発明は、データ処理装置、データ処理方法及びプログラムに関する。
【背景技術】
【０００２】
インターネットブラウザを使用してホームページを表示させた場合、リンク先のホームページを起動すると、それまで表示されていたホームページは上書きされて消えてしまう。その際はインターネットブラウザの後退ボタンで１画面前のホームページを再表示させることはできる。複数ページ前の画面を再表示させたい場合には、インターネットブラウザの後退ボタン（又は「戻るボタン」とも称される）を複数回押下する。または、履歴ボタンを押下することにより表示されるプルダウンメニューから、文字で記述された過去に表示したホームページのタイトル名を選択するという動作を行うこととなる。これを可能とするために、ブラウザには、履歴情報を記録する機能があり、履歴情報には、表示したホームページのアドレス、表示日時、リンク元のホームページのアドレス、リンク先のホームページのアドレス等が含まれる。
【０００３】
特許文献１には、過去に表示したホームページの再表示を支援するために、履歴情報に基づいてホームページ間のリンクによるネットワーク構造を表示する装置が開示されている。
【先行技術文献】
【特許文献】
【０００４】
【特許文献１】特開２００６−３４３９０５号公報
【発明の概要】
【発明が解決しようとする課題】
【０００５】
しかしながら、上述の従来技術では、操作者が意図しているホームページを確実に再表示させることができない場合がある。それは、操作者はホームページをタイトル名として認識するより、むしろ画像として認識しているケースが多いためである。履歴ボタンを押下し、プルダウンメニューを表示した際はタイトル名が表示されるのみであり、かつ、同一または類似したタイトル名となっている場合が多々ある。この結果、操作者が確実にホームページのタイトル名を認識していない限り、一度の操作では目的のホームページを起動することはできない。
【０００６】
この点は、特許文献１のネットワーク構造を表示する装置においても同様であり、また、特許文献１では、履歴情報に基づいてネットワーク構造を構築するために極めて複雑な処理が必要となる。
【０００７】
本発明の目的は、最近表示したホームページのタイトル名を表示した際に、目的とするホームページを容易に選択できるように支援する機能を提供することである。
【課題を解決するための手段】
【０００８】
上記課題を解決するために、本発明は、最近表示したホームページの中から再表示させるホームページを選択するために、当該ホームページのプレビュー画像を表示するデータ処理装置を提供する。
【０００９】
本発明によるデータ処理装置は、最近表示したホームページの中から再表示させるホームページを選択可能であるデータ処理装置において、インターネットを介して受信しインターネットブラウザに表示した各ホームページの画像データと非画像データとを対応させて記憶装置に記憶する手段と、最近表示したホームページの前記非画像データに基づく一覧メニューを出力する手段と、前記一覧メニューの特定の非画像データの選択に応じて、該特定の非画像データに対応する前記画像データを取得し、該画像データに基づくホームページのプレビュー画像を出力する手段と、前記プレビュー画像の選択に応じて、該プレビュー画像に対応するホームページを前記インターネットブラウザに再表示させる手段と、を備えたことを特徴とする。
【００１０】
上記のプレビュー画像が表示された際に、該プレビュー画像をスクロールするためのスクロールボタンを前記インターネットブラウザに表示させる手段と、前記スクロールボタンの押下に応じて、前記プレビュー画面をスクロールさせる手段とをさらに備えることが、好適である。
【００１１】
上記の再表示ボタンの押下に応じて、最近表示したホームページの少なくとも前記画像データを、前記記憶装置よりもデータ転送速度の速い別の記憶装置に読み込む手段をさらに備え、かつ、前記一覧メニューの特定の非画像データの選択に応じて、該特定の非画像データに対応する前記画像データを、前記別の記憶装置から取得することが、好適である。
【００１２】
本発明によるデータ処理方法は、最近表示したホームページの中から再表示させるホームページを選択可能であるデータ処理装置によるデータ処理方法において、インターネットを介して受信しインターネットブラウザに表示した各ホームページの画像データと非画像データとを対応させて記憶装置に記憶するステップと、最近表示したホームページの前記非画像データに基づく一覧メニューを出力するステップと、前記一覧メニューの特定の非画像データの選択に応じて、該特定の非画像データに対応する前記画像データを取得し、該画像データに基づくホームページのプレビュー画像を出力するステップと、前記プレビュー画像の選択に応じて、該プレビュー画像に対応するホームページを前記インターネットブラウザに再表示させるステップと、を備えたことを特徴とする。
【００１３】
本発明によるプログラムは、最近表示したホームページの中から再表示させるホームページを選択可能であるデータ処理装置に対し、インターネットを介して受信しインターネットブラウザに表示した各ホームページの画像データと非画像データとを対応させて記憶装置に記憶する機能と、最近表示したホームページの前記非画像データに基づく一覧メニューを出力する機能と、前記一覧メニューの特定の非画像データの選択に応じて、該特定の非画像データに対応する前記画像データを取得し、該画像データに基づくホームページのプレビュー画像を出力する機能と、前記プレビュー画像の選択に応じて、該プレビュー画像に対応するホームページを前記インターネットブラウザに再表示させる機能と、を実現させるためのものである。
【発明の効果】
【００１４】
本発明によれば、最近表示したホームページのタイトル名を表示した際に、目的とするホームページを容易に選択できる。
【図面の簡単な説明】
【００１５】
【図１】データ処理装置により表示される画面の一実施例を示す。
【図２】プレビュー画像を表示したポップアップ画面上に表示したスクロールボタンの機能を示す図である。
【図３】記憶装置に記憶されるホームページの画像データ及び非画像データを模式的に示す図である。
【図４】再表示ホームページ選択のためのデータ処理装置の構成図である。
【図５】データ処理装置により実行される再表示ホームページ選択処理の一実施例を示すフロー図である。
【発明を実施するための形態】
【００１６】
以下、実施例を示した図面を参照しつつ、本発明の実施形態を説明する。
先ず、図１〜図３を参照して、本実施例による再表示ホームページ選択のためのデータ処理装置の操作時の態様を説明する。ここで「再表示」とは、以前に表示したホームページに再びアクセスし起動させて表示することを意味する。
【００１７】
図１は、本実施例によるデータ処理装置により表示される画面の一実施例を示す。本実施例のデータ処理装置は、インターネットブラウザを搭載したコンピュータであり、図１は、インターネットブラウザの表示画面である。後退ボタン１１（「戻るボタン」とも称される）及び前進ボタン１２（「進むボタン」とも称される）については、通常のインターネットブラウザの有する機能と同様である。すなわち後退ボタン１１を押下することで１画面前のホームページに戻る。ここで「押下」とは、表示されたボタンに関連付けられた固有の機能を起動させることを意味し、例えば、マウスのクリック操作による。
【００１８】
本実施例では、通常のインターネットブラウザとは異なる新規の機能が付加されている。この機能は、画面上に表示されている、再表示ボタン１３に関連付けられている。再表示ボタン１３は、最近表示したホームページの中から所望するホームページを選択して再表示させるためのボタンである。再表示ボタン１３は、従来の履歴ボタンと共通する機能も含むが、本実施例独自の機能も付加されているので、「再表示ボタン」と称して区別する。
【００１９】
再表示ボタン１３を押下することにより、プルダウンメニュー１４が表示される。プルダウンメニュー１４は、例えば、再度、再表示ボタン１３を押下することにより非表示となる。プルダウンメニュー１４には、最近表示した１又は複数のホームページの非画像データによる一覧メニューが表示される。この非画像データは、典型的には、各ホームページのタイトル名である。あるいは、各ホームページのＵＲＬなど、各ホームページを識別する所定のテキスト情報でもよい。なお、最近表示したホームページの一覧メニューの表示方法は、プルダウンメニューに限られない。例えば、別の小画面を開いて表示してもよい。
【００２０】
ここで、「最近表示したホームページ」は、現時点から所定の期間遡った時点までの間に表示した全てのホームページ、現時点より前に表示した所定の数のホームページ、又は、今回のインターネットブラウザの起動時から現時点までに表示した全てのホームページなど、多様に設定することができる。所定の期間又は所定の数については、予め設定しておく。
【００２１】
続いて、プルダウンメニュー１４の「ＡＢＣニュース−６月１８日」にマウスをあてることにより、当該ホームページの画像データによるプレビュー画像「ＡＢＣニュース−６月１８日」１５が、例えば、小さい枠のポップアップ画面内に表示される。この状態から、次に、「ＥＦＧページ」にマウスをあてると、表示されていたプレビュー画像「ＡＢＣニュース−６月１８日」が消え、プレビュー画像「ＥＦＧページ」がポップアップ画面内に表示される。
【００２２】
プルダウンメニューからの選択動作としては、マウスカーソルを所定の非画像データすなわち文字等の領域上にあてるのみの動作が好適である。すなわち、プルダウンメニューからの選択動作では、クリックはしない。これにより、速やかにプレビュー画像を表示させることができる。
【００２３】
図２は、プレビュー画像を表示したポップアップ画面上に表示したスクロールボタン１６、１７の機能を示す図である。上スクロールボタン１６と下スクロールボタン１７とがある。例えば、図１の符号１５のプレビュー画像「ＡＢＣニュース−６月１８日」が表示されている状態で、下スクロールボタン１７を押下することにより、当該プレビュー画像１５が下方向にスクロールし、別のプレビュー画像１５ａが表示される。逆に、プレビュー画像１５ａが表示されている状態で、上スクロールボタン１６を押下することにより、上方向にスクロールし、図１のプレビュー画像１５が表示される。これにより、プレビュー画像により当該ホームページの全体を見ることができる。これは、図３に模式的に示すように、当該ホームページの画像データ３１の全体が保存されていることにより可能となる。図３の画像データ３１の一部分（１つのポップアップ画面に表示可能な大きさ）である画像データ３１ａに基づいて、図２に示したスクロール後のプレビュー画像１５ａが表示される。
【００２４】
図３は、所定の記憶装置に対応付けられて記憶されるホームページの画像データ３１及び非画像データ３２を模式的に示す図である。画像データ３１は、図１及び図２のプレビュー画像１５、１５ａを表示するために用いられ、非画像データ３２は、図１及び図２のプルダウンメニュー１４を表示するために用いられる。両矢印は、２つのデータの対応付けを表している。
【００２５】
図４は、本実施例による再表示ホームページ選択のためのデータ処理装置の一実施例の構成図である。
【００２６】
データ処理装置４は、データ処理部４０と、表示部４４と、入力部４５とを有する。
データ処理部４０は、本実施例の各機能を実現するプログラムを実行するＣＰＵ４２と、実行時にプログラム及び関連するデータを読み込む高速の記憶装置であるメモリ４３と、プログラム及び関連するデータを格納しておく大容量記憶装置である外部記憶装置４１とを具備する。本実施例の各機能を実現するプログラムは、例えば、通常のインターネットブラウザに対して本実施例独自の機能を組み込んだものである。あるいは、通常のインターネットブラウザと連係して起動されるものである。
【００２７】
図示しないが、データ処理装置４は、インターネットに接続してホームページを受信するための通信機能も備えている。データ処理部４０は、インターネットを介して受信したホームページの画像データと非画像データとを外部記憶装置４１に格納する。画像データは、表示部４４の画面上に当該ホームページを表示させるためのデータである。非画像データは、当該ホームページのアドレス、タイトル名、表示日時、リンク元のホームページのアドレス、リンク先のホームページのアドレス等の種々の情報を含む。
【００２８】
表示部４４は、データ処理部４０の制御により画面上に種々の表示を行う表示装置を具備する。入力部４５は、データ処理部４０に対して外部からデータ入力するためのマウス、キーボード等の入力装置を具備する。本実施例の機能に関しては、マウスのみで行うことが可能である。
【００２９】
好適な実施例においては、図１の再表示ボタン１３が押下されたとき、外部記憶装置４１に格納されているホームページのデータのうち、少なくとも画像データを、データ転送速度の速いメモリ４３に読み込んでおく。これにより、上述のプレビュー画像の表示を速やかに実行することができる。なお、非画像データも併せてメモリ４３に読み込んでもよい。
【００３０】
図５は、本実施例のデータ処理装置により実行される再表示ホームページ選択処理の一実施例を示すフロー図である。以下では、図１〜図４中の符号を参照しつつ説明する。
【００３１】
まず、本実施例の機能を備えたインターネットブラウザ、又は、本実施例の機能と連係するインターネットブラウザを起動し、複数のホームページにアクセスする（ステップ５１）。そして、各ホームページのデータを受信して表示させる毎に、その画像データ及び非画像データを外部記憶装置４１に格納する（ステップ５２、ステップ５３）。即ち、ホームページは画像データとして外部記憶装置４１に格納される。この画像データは、非画像データである、当該ホームページのＵＲＬ、タイトルと関連付けられて格納される。非画像データには、当該ホームページのリンク元のＵＲＬおよびタイトル、リンク先のＵＲＬおよびタイトルなどが含まれるのが好ましい。また、ここでいう画像データとは、ホームページを表示させたときのデザインやレイアウトを画像データ（例えばＢＭＰ形式やＪＰＧ形式）として保存したものを言う。
【００３２】
その後、任意のホームページが表示されている状態において、再表示ボタン１３を押下すなわちクリックする（ステップ５４）。再表示ボタン１３の押下に応じて、最近表示したホームページの各々の画像データを外部記憶装置４１からメモリ４３に読み込む（ステップ５５）。
【００３３】
また、再表示ボタン１３の押下に応じて、画面上にプルダウンメニュー１４の一覧が表示される。この一覧の中の所望するタイトル名にマウスがあてられる（ステップ５６）。マウスがあてられたタイトル名に対応する画像データをメモリ４３から取得してプレビュー画像１５を表示する（ステップ５７）。さらに別のタイトル名にマウスがあてられると、当該タイトル名に対応する別の画像データをメモリ４３から取得してプレビュー画像１５を表示する（ステップ５８）。
【００３４】
表示されたプレビュー画像１５をスクロールさせたい場合は、当該プレビュー画像１５の領域をクリックせずに、スクロールボタン１６、１７を押下すなわちクリックする（ステップ５９、ステップ６０）。スクロールボタン１６、１７の押下に応じて、プレビュー画像が所定の方向にスクロールする（ステップ６１）。
【００３５】
表示されたプレビュー画像１５に対応するホームページを再表示させたい場合は、プレビュー画像１５の領域をクリックする（ステップ５９）。これにより、目的のホームページにアクセスして起動させ、表示する（ステップ６２）。なお、プレビュー画像のクリックは、スクロールした状態であっても有効である。
【００３６】
以上のように、本実施例のデータ処理装置は、インターネットを介して受信しインターネットブラウザに表示した各ホームページの画像データと非画像データとを対応させて記憶装置に記憶させ、最近表示したホームページの非画像データに基づく一覧メニューを出力させ、一覧メニューの特定の非画像データの選択に応じて、該特定の非画像データに対応する画像データを取得し、該画像データに基づくホームページのプレビュー画像を出力し、プレビュー画像の選択に応じて、該プレビュー画像に対応するホームページをインターネットブラウザに再表示させる。
【００３７】
以上のように、本実施例によれば、対応する画像データに基づく当該ホームページのプレビュー画像を表示させることができる。これにより、操作者は視覚にて自分が再表示させたいホームページを確認でき、同一または類似したホームページの非画像データが一覧メニューに表示されていたとしても目的のホームページを容易に選択することができる。また、プレビュー画像をスクロール可能とすることにより、再表示を所望するホームページであるか否かを、より容易に確認することができる。再表示ボタンが押下された際に、記憶装置に記憶されている画像データを、より高速の記憶装置に読み込むことにより、その後、一覧メニューの非画像データが選択されたときに、プレビュー画像を速やかに表示することが可能となる
【符号の説明】
【００３８】
１１：後退ボタン
１２：前進ボタン
１３：再表示ボタン
１４：プルダウンメニュー
１５、１５ａ：プレビュー画面
１６：上スクロールボタン
１７：下スクロールボタン
３１：画像データ全体
３２：画像データの一部
４：データ処理装置
４０：データ処理部
４１：外部記憶装置
４２：ＣＰＵ
４３：メモリ
４４：表示部
４５：入力部
【図１】
2012059061.tif 000003
【図２】
2012059061.tif 000004
【図３】
2012059061.tif 000005
【図４】
2012059061.tif 000006
【図５】
2012059061.tif 000007